(57)【特許請求の範囲】
【請求項１】
筐体が電源キーを覆っている第１の状態から電源キーを操作できる第２の状態に遷移できる構造の携帯端末装置において、
前記第１の状態から前記第２の状態への状態遷移を検知する検知手段と、
装置自体の電源オフ状態において前記検知手段により状態遷移が検知されたとき、前記電源キーの位置をユーザに通知する通知手段とを備え、
前記通知手段は、前記電源キーを含む全キーのキーバックライトであり、前記検知手段により状態遷移が検知されたとき、複数の発光素子からなる前記キーバックライトの中の前記電源キーを照明する発光素子のみを点灯または点滅させることを特徴とする携帯端末装置。
【請求項２】
筐体が電源キーを覆っている第１の状態から電源キーを操作できる第２の状態に遷移できる構造の携帯端末装置において、
前記第１の状態から前記第２の状態への状態遷移を検知する検知手段と、
装置自体の電源オフ状態において前記検知手段により状態遷移が検知されたとき、前記電源キーの位置をユーザに通知する通知手段とを備え、
前記通知手段は、前記電源キーを含む全キーのキーバックライトであり、前記検知手段により状態遷移が検知されたとき、前記キーバックライトを点灯または点滅させることを特徴とする携帯端末装置。
【請求項３】
筐体が電源キーを覆っている第１の状態から電源キーを操作できる第２の状態に遷移できる構造の携帯端末装置において、
前記第１の状態から前記第２の状態への状態遷移を検知する検知手段と、
装置自体の電源オフ状態において前記検知手段により状態遷移が検知されたとき、前記電源キーの位置をユーザに通知する通知手段とを備え、
前記通知手段は、表示パネルのパネルバックライトであり、前記検知手段により状態遷移が検知されたとき、前記パネルバックライトを点灯または点滅させることを特徴とする携帯端末装置。
【請求項４】
通知時間帯を設定する時間設定手段を備えており、
前記通知手段は、前記検知手段により状態遷移が検知された時刻が、前記時間設定手段により設定された通知時間帯内である場合には通知し、通知時間帯外である場合には通知しないことを特徴とする請求項１から請求項３までのいずれか１項に記載の携帯端末装置。
【請求項５】
周囲の明るさを検知する照度センサを備えており、
前記通知手段は、前記検知手段により状態遷移が検知されたとき、前記照度センサにより検知されている照度が予め設定されている一定照度以下である場合には通知し、一定照度以上である場合には通知しないことを特徴とする請求項１から請求項３までのいずれか１項に記載の携帯端末装置。
【請求項６】
前記通知手段は、予め設定された一定時間通知すると、その後は通知を終了することを特徴とする請求項１から請求項５までのいずれか１項に記載の携帯端末装置。
【請求項７】
前記一定時間はユーザによって任意の時間に設定可能であることを特徴とする請求項１から請求項６までのいずれか１項に記載の携帯端末装置。
【発明の詳細な説明】
【技術分野】
【０００１】
本発明は、筐体が電源キーを覆っている第１の状態から電源キーを操作できる第２の状態に遷移できる構造の携帯端末装置に係り、より詳細には、周囲が暗い場合のユーザの使い勝手を考慮した携帯端末装置に関する。
【背景技術】
【０００２】
従来の携帯端末装置において、キーの操作性を考慮した技術が種々提案されている（例えば、特許文献１〜３等参照）。
【０００３】
特許文献１に記載の携帯無線端末装置は、通話状態において終話キーを発光等させる終話キー発光部を備えている。すなわち、通話が開通されている状態で、全てのキーバックライトの設定が消灯に設定されている場合であっても、終話キー発光部により終話キーのみを点灯または点滅する構成となっている。これにより、終話キーを終話キー以外の他の各種キー部分と識別できるため、使用者は終話を行おうとした場合に終話キーを容易に認識できるようになっている。
【０００４】
また、特許文献２に記載の携帯通信端末は、通話開始キーや数字キーなどの入力操作キーを照明する全部のＬＥＤを、押下操作した直後からの所定時間の間、点灯する構成となっている。これにより、入力操作キーの操作直後に操作される必然性の高い数字キーなどの操作を、夜間などの暗い場所においても不都合無く行えるようになっている。そして、所定時間経過後においては、終話キーに対応して設けたＬＥＤのみを点灯させることにより、入力操作キーが操作された後に必ず操作されることになる終話キーを確実に操作できるようになっている。
【０００５】
また、特許文献３に記載の携帯端末装置は、折り畳み式の筐体を閉じて電源をオフにした状態から、使用に際して筐体を開いた時に、電源スイッチ（電源キー）を操作する手間を省くことを目的としたものであって、電源オフの状態で、筐体開閉センサにより上下筐体が閉じた状態から開いた状態になったことを検出すると、電源スイッチ制御部が電源スイッチをオンする構成となっている。すなわち、折り畳み式の筐体を開くだけで、電源投入操作無しに携帯端末装置の電源をオンすることができるようになっている。
【特許文献１】特開２００３−２８９３５３号公報
【特許文献２】特開２００３−２３４９１号公報
【特許文献３】特開２００３−３１９０１６号公報
【発明の開示】
【発明が解決しようとする課題】
【０００６】
上記特許文献１，２記載のものは、夜間などの暗い場所であっても、終話時に終話キーを確実に操作できるように工夫されているが、携帯端末装置を取り出して電源キーを操作し、携帯端末装置をオン状態として誰かに電話を掛ける場合、夜間などの暗い場所では電源キーの位置が分からず、操作しずらいといった問題については何ら解決されていない。
【０００７】
一方、上記特許文献３記載のものは、携帯端末装置を取り出して電源キーを操作する際に、筐体が開いた状態になったことを検知して、電源スイッチを自動的にオンさせるようになっている。そのため、夜間などの暗い場所でも携帯端末装置の電源を簡単にオンすることができる。しかし、上記特許文献３記載のものは、筐体を開くだけで自動的に電源がオンされるため、例えば病院など電源をオフしなければならない場所で何気なく携帯端末装置を開いた場合にも自動的に電源がオンされてしまうといった問題があった。また、何気なく携帯端末装置を開いただけでも電源がオンされるため、電力が無駄に消費されてしまうといった問題もあった。
【０００８】
本発明はかかる問題点を解決すべく創案されたもので、その目的は、例えば折り畳み式の携帯端末装置の場合、暗い場所で携帯端末装置を開いたとき、電源はオフ状態のままで電源キーの位置のみを明瞭に通知することで、省電力効果を考慮しつつユーザの操作性の向上を図った携帯端末装置を提供することにある。
【課題を解決するための手段】
【０００９】
本発明の携帯端末装置は、筐体が電源キーを覆っている第１の状態から電源キーを操作できる第２の状態に遷移できる構造の携帯端末装置において、前記第１の状態から前記第２の状態への遷移を検知する検知手段と、装置の電源オフ状態において前記検知手段により状態遷移が検知されたとき、前記電源キーの位置をユーザに通知する通知手段とを備えたことを特徴とする。
【００１０】
すなわち、本発明の携帯端末装置は、折り畳み式（クラムシェル型）の携帯端末装置、各種キーを配置した操作筐体に対して液晶表示パネルを配置した表示筐体を水平方向に回動させるジャックナイフ型の携帯端末装置、操作筐体に対して表示筐体を水平一方向に直線的にスライドさせるスライド型の携帯端末装置に適用される。そして、例えば折り畳み式の携帯端末装置では、表示筐体を閉じている第１の状態から、開いた第２の状態に状態遷移すると、この遷移動作（開動作）を検知手段が検知して、電源キーの位置をユーザに通知する。
【００１１】
ここで、前記通知手段としては、電源キーのみを点灯または点滅させるＬＥＤ等の照明手段とすることができる。そして、検知手段により遷移動作（開動作）を検知したとき、ＬＥＤを点灯または点滅させることで、電源キーのみを照明することができる。これにより、暗い場所で携帯端末装置を開いた場合でも、電源キーの位置がすぐに分かるので、ユーザは電源キーを容易に操作することができ、携帯端末装置の電源をオンすることが可能となる。また、明るい場所で携帯端末装置を開いた場合でも、電源キーのみ点灯または点滅するので、ユーザに対して電源キーの位置を積極的に指示する効果もある。
【００１２】
また、前記通知手段としては、電源キーを含む全キーを照明するキーバックライトとすることができる。キーバックライトは元々備わっているので、新たに部品等を追加する必要がなく、コスト削減に有効な手段である。そして、検知手段により遷移動作（開動作）を検知したとき、キーバックライトを点灯または点滅させることで、電源キーを含む全キーを照明することができる。これにより、暗い場所で携帯端末装置を開いた場合でも、電源キーの位置がすぐに分かるので、ユーザは電源キーを容易に操作することができ、携帯端末装置の電源をオンすることが可能となる。
【００１３】
また、前記通知手段としては、表示部側の筐体に設けられた表示パネルのパネルバックライトとすることができる。表示パネルのパネルバックライトも元々備わっているので、新たに部品等を追加する必要がなく、コスト削減に有効な手段である。そして、検知手段により遷移動作（開動作）を検知したとき、パネルバックライトを点灯または点滅させることで、電源キーを含む全キーを照明することができる。これにより、暗い場所で携帯端末装置を開いた場合でも、電源キーの位置がすぐに分かるので、ユーザは電源キーを容易に操作することができ、携帯端末装置の電源をオンすることが可能となる。
【００１４】
また、本発明によれば、通知時間帯を設定する時間設定手段を備えており、前記通知手段は、前記検知手段により状態遷移が検知された時刻が、前記時間設定手段により設定された通知時間帯内である場合には通知（点灯等）し、通知時間帯外である場合には通知しない（非点灯）ように構成してもよい。例えば、通知時間帯として冬場であれば夜５時から翌朝の７時までに設定しておけば、この時間帯に携帯端末装置を開いたときには電源キーが照明され、日中の明るいときに携帯端末装置を開いたときには電源キーが照明されることはない。これにより、省電力化を図ることができる。
【００１５】
また、本発明によれば、周囲の明るさを検知する照度センサを備えており、前記通知手段は、前記検知手段により状態遷移が検知されたとき、前記照度センサにより検知されている照度が予め設定されている一定照度以下である場合には通知（点灯等）し、一定照度以上である場合には通知しない（非点灯）ように構成してもよい。例えば、日中であっても、暗い部屋で携帯端末装置を使用する場合もある。このような場合には、照度センサによって周囲の照度を検知しているので、その場所が一定照度以下である場合には、電源キーを照明することができる。つまり、照度センサを備えていることで、ユーザの使用状態に応じて臨機応変に電源キーの照明、非照明を制御することができる。
【００１６】
さらに、本発明によれば、前記通知手段は、予め設定された一定時間通知すると、その後は通知を終了するように構成してもよい。これにより、無駄な電力消費を抑えることができる。なお、この一定時間は、ユーザによって任意の時間に設定可能としてもよい。
【発明の効果】
【００１７】
本発明の携帯端末装置によれば、携帯端末装置が第１の状態から第２の状態に状態遷移すると、この遷移動作（開動作）を検知手段が検知して、電源キーの位置をユーザに通知するために、電源キーのみを点灯または点滅したり、キーバックライトを点灯または点滅したり、表示部のバックライトを点灯または点滅する構成としたので、暗い場所で携帯端末装置を開いた場合でも、電源キーの位置がすぐに分かるため、ユーザは電源キーを容易に操作することができる。また、携帯端末装置の電源はオフ状態のままで電源キーの照明のみを行うので、無駄な電力消費を抑えることができる。また、時間設定手段や照度センサを設けることで、必要なときだけ電源キーを照明することができるので、無駄な電力消費をさらに抑えることができる。さらに、通知手段としてキーバックライトや表示部のバックライトを使用すれば、これらのライトは元々備わっているものなので、新たに部品等を追加する必要がなく、コストの抑制効果もある。
【発明を実施するための最良の形態】
【００１８】
以下、本発明の実施の形態について図面を参照して説明する。
【００１９】
本実施形態では、携帯端末装置として折り畳み式の携帯端末装置を例に挙げて説明する。  図１は、本実施形態の携帯端末装置の「通常オープン状態」における外観図である。通常オープン状態は、携帯端末装置の使用時における最も基本的な装置状態であり、図中の（ａ）は、通常オープン状態における携帯端末装置をユーザ側から見た正面図、（ｂ）は、その左側面図である。また、図２は、図１の携帯端末装置の「通常クローズ状態」における左側面図である。通常クローズ状態は、携帯端末装置の最も基本的な収納時の装置状態である。
【００２０】
この携帯端末装置は、操作筐体１、表示筐体２及び可動連結部３により構成されている。操作筐体１及び表示筐体２は、ともに略矩形平板の形状からなる薄型筐体であり、対向する２つの主面を有している。これら操作筐体１及び表示筐体２は、それぞれの一短辺が可動連結部３により連結されている。この可動連結部３は、第１回転軸Ａ１を中心として、両筐体１，２を相対的に回転させることができるようになっている。
【００２１】
つまり、操作筐体１を固定し、第１回転軸Ａ１を中心として表示筐体２を回転させれば、両筐体１，２の主面を対向させて折り畳むことができ、あるいは、展開させることができる。
【００２２】
なお、携帯端末装置の種類によっては、この第１回転軸Ａ１に直交する方向に第２回転軸を備えているものもあるが、本実施形態では第１回転軸Ａ１のみを備えた一般的な構造の携帯端末装置に適用した場合について説明する。
【００２３】
操作筐体１の主面（対向面）にはテンキー１０、メインガイドキー１１〜１３、メイン多機能キー１４、オフフックキー１５、オンフックキー（電源キー）１６、メインクリアキー１７などの各種の操作キーが配置されており、当該主面は、ユーザが操作入力を行うための操作面として使用される。また、通話用マイクロフォン１８が、上記操作面内であって、可動連結部３とは反対側の筐体端部付近に配置されている。また、操作筐体１の内部には、上記操作キー１０〜１７を照明する複数の例えばＬＥＤからなるキーバックライト６３（図４参照）が設けられている。
【００２４】
表示筐体２の主面（対向面）には、液晶表示パネルからなるメイン表示画面２０が配置されており、当該主面は、ユーザに対し表示出力を行うための表示面として使用される。また、通話用レシーバ２１が上記表示面内に配置されている。また、表示筐体２の内部には、メイン表示画面２０を照明するためのパネルバックライト６５（図４参照）が設けられている。
【００２５】
図３は、図１の携帯端末装置の内部構造について要部を示した図であり、可動連結部３の要部と装置状態の検出センサが示されている。可動連結部３は、操作筐体１に固着された軸受け部材３０及び３１と、これらの軸受け部材３０，３１によって回転可能に保持されている回転部材３２と、表示筐体２に固着されたフレーム部材３３とからなる。
【００２６】
つまり、可動連結部３は、第１回転軸Ａ１を中心として、操作筐体１及び表示筐体２を相対的に回転させる1軸ヒンジ構造となっている。軸受け部材３０，３１及び回転部材３２によって、第１回転軸Ａ１を中心として表示筐体２を回転させれば、携帯端末装置を開閉動作させることができる。例えば、通常オープン状態から、第１回転軸Ａ１を中心として表示筐体２を回転させ、表示面及び操作面がともに内側となるように対向させて折り畳むと、図２に示す通常クローズ状態となる。
【００２７】
図中のマグネット４０は、可動連結部３による装置状態を検出するために設けられている。マグネット４０及び磁気センサ４１は、一方が操作筐体１内に、他方が表示筐体２内に設けられ、通常クローズ状態において互いに対向する位置に配置されている。このため、磁気センサ４１がマグネット４０の磁力線を検出すれば、通常クローズ状態（図２参照）であると判別することができる。なお、磁気センサ４１には、ホール素子やＭＲ素子などを用いることができる。
【００２８】
図４は、上記構成の携帯端末装置の電気的構成の一例を示す機能ブロック図であり、ここでは本実施形態に関連する主要部のみを示している。
【００２９】
すなわち、本実施形態の携帯端末装置は、主制御部６０、装置状態検出部６１、入力制御部６２、表示部６４、タイマー部６６、及び時計部６７を主な構成要素としている。
【００３０】
入力制御部６２は、操作面内の操作キー１０〜１７等による操作を監視し、キー操作信号を主制御部６０へ出力している。操作面内の操作キー１０〜１７は、操作面を内側にして折り畳まれた通常クローズ状態では、使用することができない。また、入力制御部６２は、操作面内の各操作キー１０〜１７を照明するための複数のＬＥＤからなるキーバックライト６３の点灯または点滅制御を主制御部６０からの指示に従って行っている。なお、図中のＬＥＤ６３ａは、オンフックキー（以下「電源キー」という。）１６を照明するＬＥＤであり、これについては後述する。
【００３１】
表示制御部６４は、メイン表示画面２０の表示制御を行っている。また、表示制御部６４は、メイン表示画面２０である液晶パネルを照明するためのパネルバックライト６５の点灯制御を主制御部６０からの指示に従って行っている。
【００３２】
タイマー部６６は、例えば本装置の電源オン状態において、何らキー操作がされなかった場合に省電力モードに移行するための所定時間の計測等を行う。時計部６７は現在時刻を計時する。
【００３３】
主制御部６０は、携帯電話装置の主要な制御を行っているプロセッサからなる。装置状態検出部６１は、磁気センサ４１の検出信号に基づいて装置状態を判別している。磁気センサ４１の検出結果を用いれば、通常クローズ状態と、通常オープン状態とを判別することができる。主制御部６０は、この判別結果に基づいて、入力制御部６２、表示制御部６４、及びタイマー部６６の動作を制御する。以上が、本発明の携帯端末装置の基本的な機能ブロック図の構成である。
【００３４】
本実施形態では、磁気センサ４１の検出結果に基づいて、キーバックライト６３の点灯または点滅制御や、パネルバックライト６５の点灯制御を行うのであるが、この場合、本実施形態では、装置自体の電源オフ状態においてこれらの制御を行う点に特徴を有している。以下、具体的に実施例を挙げて説明する。
【実施例１】
【００３５】
本実施例１は、磁気センサ４１の検出結果に基づいて、複数のＬＥＤからなるキーバックライト６３の中の電源キー１６を照明するＬＥＤ６３ａのみの点灯または点滅制御を、本装置の電源オフ状態において制御する実施例である。
【００３６】
図５は、この実施例１を実現するための一構成例を示す機能ブロック図であり、図４に示す基本的な機能ブロック図において、装置状態検出部６１と入力制御部６２とを信号線で接続し、装置状態検出部６１から入力制御部６２にも判別結果を出力する構成としたものである。すなわち、入力制御部６２は、主制御部６０を介することなく、装置状態検出部６１から通常クローズ状態か通常オープン状態かの判別結果を直接取得し、この判別結果に基づいて、ＬＥＤ６３ａの点灯または点滅制御を行うようになっている。これにより、主制御部６０がキー入力の待ち受け等の一部の機能のみを動作させているスリープ状態であっても、ＬＥＤ６３ａの点灯または点滅制御が可能となる。なお、電源キー１６が押されて本装置が電源オン状態となった後は、入力制御部６２は、主制御部６０からの制御に従って従来通りキーバックライト６３の点灯制御を行うことになる。
【００３７】
以下、図６に示すフローチャートを参照して、電源キー１６を照明するＬＥＤ６３ａの点灯または点滅制御動作を説明する。
【００３８】
装置状態検出部６１は、装置自体の電源オフ状態（すなわち、主制御部６０のスリープ状態）であっても、磁気センサ４１の検出結果、すなわちオン、オフ状態を常に監視している（ステップＳ１）。そして、表示筐体２が開かれることによって磁気センサ４１のオフ状態を検出すると（ステップＳ１でＹｅｓと判断されると）、装置状態検出部６１は、入力制御部６２に検出結果を出力する。入力制御部６２は、このオフ状態を示す検出結果に基づき、電源キー１６を照明するＬＥＤ６３ａのみを点灯または点滅させる（ステップＳ２）。すなわち、装置自体の電源はオフ状態のままで、ＬＥＤ６３ａのみを点灯または点滅させる。これにより、例えば暗い場所で携帯端末装置を開いた場合でも、電源キー１６の位置を容易に確認することが可能となる。
【００３９】
この後、入力制御部６２は、電源キー１６が押されたか否か、または表示筐体２が閉じられて装置状態検出部６１からオン状態を示す検出結果が入力されたか否かを監視する（ステップＳ３，Ｓ４）。そして、電源キー１６が押された場合（ステップＳ３でＹｅｓと判断された場合）には、従来通り電源オン信号を主制御部６０へ出力する（ステップＳ６）。主制御部６０は、この電源オン信号に基づき、本装置を電源オン状態に移行する。この後の入力制御部６２によるキーバックライト６３のオン、オフ制御は、主制御部６０からの指示に従うことになる。
【００４０】
一方、電源キー１６が押されることなく表示筐体２が閉じられると（ステップＳ３でＮｏ、ステップＳ４でＹｅｓと判断されると）、装置状態検出部６１から入力制御部６２に電磁センサ４１のオン状態を示す検出結果が入力されるので、入力制御部６２は、ＬＥＤ６３ａを消灯する（ステップＳ５）。
【００４１】
上記実施例１では、ＬＥＤ６３ａを点灯後、電源キー１６が押されたか、表示筐体２が再び閉じられるまで、ＬＥＤ６３ａを点灯しておく構成としているが、ＬＥＤ６３ａを点灯後、電源キー１６が押されず、かつ、表示筐体２が閉じられることなく、予め設定された一定時間（例えば１０秒等）が経過した場合には、ＬＥＤ６３ａの点灯を自動的に消灯するように構成してもよい。この場合には、入力制御部６２とタイマー回路６６とを接続し、入力制御部６２においてタイマー回路６６による一定時間の計測が行えるように構成すればよい。なお、この一定時間は、固定時間として予め設定されていてもよいが、ユーザによって任意の時間に設定可能としてもよい。ユーザによって設定可能とすることで、ユーザは、自分自身の使用形態に合わせて、使い勝手のよい好みの時間を自由に設定することが可能となる。
【実施例２】
【００４２】
本実施例２は、磁気センサ４１の検出結果に基づいて、複数のＬＥＤからなるキーバックライト６３の全体を点灯または点滅する制御を、本装置の電源オフ状態において行う実施例である。この実施例２を実現するための機能ブロック構成は、上記実施例１の機能ブロック構成（図５参照）と同じである。
【００４３】
すなわち、入力制御部６２は、主制御部６０を介することなく、装置状態検出部６１から通常クローズ状態か通常オープン状態かの判別結果を直接取得し、この判別結果に基づいて、キーバックライト６３全体の点灯または点滅制御を行うようになっている。これにより、主制御部６０がキー入力の待ち受け等の一部の機能のみを動作させているスリープ状態であっても、キーバックライト６３全体の点灯または点滅制御が可能となる。なお、電源キー１６が押されて本装置が電源オン状態となった後は、入力制御部６２は、主制御部６０からの制御に従って従来通りキーバックライト６３の点灯制御を行うことになる。
【００４４】
以下、図７に示すフローチャートを参照して、キーバックライト６３全体の点灯または点滅制御動作を説明する。
【００４５】
装置状態検出部６１は、装置自体の電源オフ状態（すなわち、主制御部６０のスリープ状態）であっても、磁気センサ４１の検出結果、すなわちオン、オフ状態を常に監視している（ステップＳ１１）。そして、表示筐体２が開かれることによって磁気センサ４１のオフ状態を検出すると（ステップＳ１１でＹｅｓと判断されると）、装置状態検出部６１は、入力制御部６２に検出結果を出力する。入力制御部６２は、このオフ状態を示す検出結果に基づき、キーバックライト６３全体を点灯または点滅させる（ステップＳ１２）。すなわち、装置自体の電源はオフ状態のままで、キーバックライト６３を点灯または点滅させる。これにより、例えば暗い場所で携帯端末装置を開いた場合でも、操作キー全体の位置を容易に確認することが可能となり、電源キー１６の位置も容易に認識することができる。
【００４６】
この後、入力制御部６２は、電源キー１６が押されたか否か、または表示筐体２が閉じられて装置状態検出部６１からオン状態を示す検出結果が入力されたか否かを監視する（ステップＳ１３，Ｓ１４）。そして、電源キー１６が押された場合（ステップＳ１３でＹｅｓと判断された場合）には、従来通り電源オン信号を主制御部６０へ出力する（ステップＳ１６）。主制御部６０は、この電源オン信号に基づき、本装置を電源オン状態に移行する。この後の入力制御部６２によるキーバックライト６３のオン、オフ制御は、主制御部６０からの指示に従うことになる。
【００４７】
一方、電源キー１６が押されることなく表示筐体２が閉じられると（ステップＳ１３でＮｏ、ステップＳ１４でＹｅｓと判断されると）、装置状態検出部６１から入力制御部６２に電磁センサ４１のオン状態を示す検出結果が入力されるので、入力制御部６２は、キーバックライト６３を消灯する（ステップＳ１５）。
【００４８】
上記実施例２では、キーバックライト６３全体を点灯後、電源キー１６が押されたか、表示筐体２が再び閉じられるまで、キーバックライト６３全体を点灯しておく構成としているが、キーバックライト６３全体を点灯後、電源キー１６が押されず、かつ、表示筐体２が閉じられることなく、予め設定された一定時間（例えば１０秒等）が経過した場合には、キーバックライト６３全体を自動的に消灯するように構成してもよい。この場合には、入力制御部６２とタイマー回路６６とを接続し、入力制御部６２においてタイマー回路６６による一定時間の計測が行えるように構成すればよい。
【実施例３】
【００４９】
本実施例３は、磁気センサ４１の検出結果に基づいて、パネルバックライト６５を点灯する制御を、本装置の電源オフ状態において行う実施例である。
【００５０】
図８は、この実施例３を実現するための機能ブロック図であり、図４に示す基本的な機能ブロック構成において、装置状態検出部６１と表示制御部６４とを信号線で接続し、装置状態検出部６１から表示制御部６４にも判別結果を出力する構成としたものである。すなわち、表示制御部６４は、主制御部６０を介することなく、装置状態検出部６１から通常クローズ状態か通常オープン状態かの判別結果を直接取得し、この判別結果に基づいて、パネルバックライト６５の点灯制御を行うようになっている。これにより、主制御部６０がキー入力の待ち受け等の一部の機能のみを動作させているスリープ状態であっても、パネルバックライト６５の点灯制御が可能となる。なお、電源キー１６が押されて本装置が電源オン状態となった後は、表示制御部６４は、主制御部６０からの制御に従って従来通りパネルバックライト６５の点灯制御を行うことになる。
【００５１】
以下、図９に示すフローチャートを参照して、パネルバックライト６５全体の点灯制御動作を説明する。
【００５２】
装置状態検出部６１は、装置自体の電源オフ状態（すなわち、主制御部６０のスリープ状態）であっても、磁気センサ４１の検出結果、すなわちオン、オフ状態を常に監視している（ステップＳ２１）。そして、表示筐体２が開かれることによって磁気センサ４１のオフ状態を検出すると（ステップＳ２１でＹｅｓと判断されると）、装置状態検出部６１は、表示制御部６４に検出結果を出力する。表示制御部６４は、このオフ状態を示す検出結果に基づき、パネルバックライト６５を点灯させる（ステップＳ２２）。すなわち、装置自体の電源はオフ状態のままで、パネルバックライト６５を点灯させる。これにより、例えば暗い場所で携帯端末装置を開いた場合でも、操作キー全体の位置を容易に確認することが可能となり、電源キー１６の位置も容易に認識することができる。
【００５３】
この後、表示制御部６４は、電源キー１６が押されたか否か、または表示筐体２が閉じられて装置状態検出部６１からオン状態を示す検出結果が入力されたか否かを監視する（ステップＳ２３，Ｓ２４）。そして、電源キー１６が押された場合（ステップＳ２３でＹｅｓと判断された場合）には、従来通り電源オン信号を主制御部６０へ出力する（ステップＳ１６）。主制御部６０は、この電源オン信号に基づき、本装置を電源オン状態に移行する。この後の表示制御部６４によるパネルバックライト６５のオン、オフ制御は、主制御部６０からの指示に従うことになる。
【００５４】
一方、電源キー１６が押されることなく表示筐体２が閉じられると（ステップＳ２３でＮｏ、ステップＳ２４でＹｅｓと判断されると）、装置状態検出部６１から入力制御部６２に電磁センサ４１のオン状態を示す検出結果が入力されるので、表示制御部６４は、パネルバックライト６５を消灯する（ステップＳ２５）。
【００５５】
上記実施例３では、パネルバックライト６５全体を点灯後、電源キー１６が押されたか、表示筐体２が再び閉じられるまで、パネルバックライト６５を点灯しておく構成としているが、パネルバックライト６５を点灯後、電源キー１６が押されず、かつ、表示筐体２が閉じられることなく、予め設定された一定時間（例えば１０秒等）が経過した場合には、パネルバックライト６５を自動的に消灯するように構成してもよい。この場合には、表示制御部６４とタイマー回路６６とを接続し、表示制御部６４においてタイマー回路６６による一定時間の計測が行えるように構成すればよい。
【００５６】
上記実施例１〜３では、表示筐体２が開かれることによって磁気センサ４１のオフ状態を検出すると、ＬＥＤ６３ａ、キーバックライト６３またはパネルバックライト６５を即点灯等する構成としている。しかし、日中の明るい場所で表示筐体２が開かれた場合には、電源キー１６の位置を照明等により敢えて表示（指示）しなくても、ユーザは簡単に電源キーの位置を確認して操作することができる。すなわち、照明等による指示が必要なのは暗い場所で表示筐体２を開いた場合である。以下の実施例は、この点を考慮した実施例となっている。
【実施例４】
【００５７】
本実施例４は、表示筐体２が開けられたとき、ＬＥＤ６３ａまたはキーバックライト６３を点灯等するか否かを、表示筐体２が開かれた時間帯によって判断し、その後に点灯等する実施例である。
【００５８】
図１０は、この実施例４を実現するための一構成例を示す機能ブロック図であり、図５に示す機能ブロック構成においてさらに、入力制御部６２と時計部６７とを接続することにより、入力制御部６２において現在時刻を直接取得可能な構成としたものである。
【００５９】
以下、図１１に示すフローチャートを参照して、電源キー１６を照明するＬＥＤ６３ａの点灯または点滅制御動作を説明する。なお、キーバックライト６３全体の点灯制御動作も同様であるので、ここではキーバックライト６３全体の点灯制御動作の説明は省略する。
【００６０】
装置状態検出部６１は、装置自体の電源オフ状態（すなわち、主制御部６０のスリープ状態）であっても、磁気センサ４１の検出結果、すなわちオン、オフ状態を常に監視している（ステップＳ３１）。そして、表示筐体２が開かれることによって磁気センサ４１のオフ状態を検出すると（ステップＳ３１でＹｅｓと判断されると）、装置状態検出部６１は、入力制御部６２に検出結果を出力する。
【００６１】
入力制御部６２は、このオフ状態を示す検出結果を取得すると、その取得時刻が内部メモリ（図示省略）に設定された通知時間帯内であるか否かを判断する（ステップＳ３２）。ここで、通知時間帯は予めユーザによって設定しておくものとする。すなわち、この通知時間帯は、ユーザが屋外で携帯端末装置を使用する場合に、周囲が暗くなっており、操作キーが見づらい状態になっているであろうと思われる時間帯を設定する。具体的には、例えば冬場であれば、夜５時から翌朝の７時までの時間帯に設定し、夏場であれば夜７時から翌朝５時までの時間帯に設定すればよい。
【００６２】
そして、ステップＳ３２での判断の結果、表示筐体２を開いた時刻が通知時間帯内である場合（Ｙｅｓと判断された場合）には、図６のステップＳ２へと動作を進め、電源キー１６を照明するＬＥＤ６３ａのみを点灯または点滅させる。そして、その後の処理（ステップＳ３〜ステップＳ６）に進むことになる。
【００６３】
一方、ステップＳ３２での判断の結果、表示筐体２を開いた時刻が通知時間帯外であった場合（Ｎｏと判断された場合）には、ＬＥＤ６３ａを点灯することなく処理を終了する（ステップＳ３３）。
【００６４】
本実施例４によれば、日中の明るいときに表示筐体２を開いたときには電源キー１６が照明されることはない。これにより、省電力を図ることができる。
【実施例５】
【００６５】
本実施例５は、表示筐体２が開けられたとき、パネルバックライト６３を点灯等するか否かを、表示筐体２が開かれた時間帯によって判断し、その後に点灯する実施例である。
【００６６】
図１２は、この実施例５を実現するための一構成例を示す機能ブロック図であり、図８に示す機能ブロック構成においてさらに、表示制御部６４と時計部６７とを接続することにより、表示制御部６４において現在時刻を直接取得可能な構成としたものである。
【００６７】
以下、図１３に示すフローチャートを参照して、パネルバックライト６３の点灯制御動作を説明する。
【００６８】
装置状態検出部６１は、装置自体の電源オフ状態（すなわち、主制御部６０のスリープ状態）であっても、磁気センサ４１の検出結果、すなわちオン、オフ状態を常に監視している（ステップＳ４１）。そして、表示筐体２が開かれることによって磁気センサ４１のオフ状態を検出すると（ステップＳ４１でＹｅｓと判断されると）、装置状態検出部６１は、表示制御部６４に検出結果を出力する。
【００６９】
表示制御部６４は、このオフ状態を示す検出結果を取得すると、その取得時刻が内部メモリ（図示省略）に設定された通知時間帯内であるか否かを判断する（ステップＳ４２）。この通知時間帯は、上記実施例４と同様、予めユーザによって設定しておくものとする。
【００７０】
そして、ステップＳ４２での判断の結果、表示筐体２を開いた時刻が通知時間帯内である場合（Ｙｅｓと判断された場合）には、図９のステップＳ２２へと動作を進め、パネルバックライト６５を点灯させる。そして、その後の処理（ステップＳ２３〜ステップＳ２６）に進むことになる。
【００７１】
一方、ステップＳ４２での判断の結果、表示筐体２を開いた時刻が通知時間帯外であった場合（Ｎｏと判断された場合）には、パネルバックライト６５を点灯することなく処理を終了する（ステップＳ４３）。
【００７２】
本実施例５によれば、日中の明るいときに表示筐体２を開いた場合にはパネルバックライト６５が点灯されることはない。これにより、省電力を図ることができる。
【実施例６】
【００７３】
本実施例６は、表示筐体２が開けられたとき、ＬＥＤ６３ａまたはキーバックライト６３を点灯等するか否かを、表示筐体２が開かれた場所の周囲の明るさによって判断し、その後に点灯等する実施例である。
【００７４】
図１４は、この実施例６を実現するための一構成例を示す機能ブロック図であり、図５に示す機能ブロック構成においてさらに、入力制御部６２に照度センサ６８を接続した構成としたものである。すなわち、入力制御部６２において、周囲の明るさが判断できる構成となっている。
【００７５】
以下、図１５に示すフローチャートを参照して、電源キー１６を照明するＬＥＤ６３ａの点灯または点滅制御動作を説明する。なお、キーバックライト６３全体の点灯制御動作も同様であるので、ここではキーバックライト６３全体の点灯制御動作の説明は省略する。
【００７６】
装置状態検出部６１は、装置自体の電源オフ状態（すなわち、主制御部６０のスリープ状態）であっても、磁気センサ４１の検出結果、すなわちオン、オフ状態を常に監視している（ステップＳ５１）。そして、表示筐体２が開かれることによって磁気センサ４１のオフ状態を検出すると（ステップＳ５１でＹｅｓと判断されると）、装置状態検出部６１は、入力制御部６２に検出結果を出力する。
【００７７】
入力制御部６２は、このオフ状態を示す検出結果を取得すると、その時の照度センサ６８から周囲の照度を取得し、その取得照度が内部メモリ（図示省略）に設定された一定照度以下であるか否かを判断する（ステップＳ５２）。ここで、一定照度は予めユーザによって設定しておくものとする。すなわち、この一定照度は、ユーザが携帯端末装置を使用する場合に、周囲が暗くなっており、操作キーが見づらい状態になっているであろうと思われる照度に設定する。
【００７８】
そして、ステップＳ５２での判断の結果、表示筐体２を開いたときの周囲の明るさが一定照度以下であった場合（Ｙｅｓと判断された場合）には、図６のステップＳ２へと動作を進め、電源キー１６を照明するＬＥＤ６３ａのみを点灯または点滅させる。そして、その後の処理（ステップＳ３〜ステップＳ６）に進むことになる。
【００７９】
一方、ステップＳ５２での判断の結果、表示筐体２を開いたときの周囲の明るさが一定照度以上であった場合（Ｎｏと判断された場合）には、ＬＥＤ６３ａを点灯することなく処理を終了する（ステップＳ５３）。
【００８０】
本実施例６によれば、明るい場所に居るときに表示筐体２を開いた場合には電源キー１６が照明されることはない。これにより、省電力を図ることができる。
【実施例７】
【００８１】
本実施例７は、表示筐体２が開けられたとき、パネルバックライト６５を点灯等するか否かを、表示筐体２が開かれた場所の周囲の明るさによって判断し、その後に点灯等する実施例である。
【００８２】
図１６は、この実施例６を実現するための一構成例を示す機能ブロック図であり、図８に示す機能ブロック構成においてさらに、表示制御部６４に照度センサ６８を接続した構成としたものである。すなわち、表示制御部６４において、周囲の明るさが判断できる構成となっている。
【００８３】
以下、図１７に示すフローチャートを参照して、パネルバックライト６５の点灯制御動作を説明する。
【００８４】
装置状態検出部６１は、装置自体の電源オフ状態（すなわち、主制御部６０のスリープ状態）であっても、磁気センサ４１の検出結果、すなわちオン、オフ状態を常に監視している（ステップＳ６１）。そして、表示筐体２が開かれることによって磁気センサ４１のオフ状態を検出すると（ステップＳ６１でＹｅｓと判断されると）、装置状態検出部６１は、表示制御部６４に検出結果を出力する。
【００８５】
表示制御部６４は、このオフ状態を示す検出結果を取得すると、その時の照度センサ６８から周囲の照度を取得し、その取得照度が内部メモリ（図示省略）に設定された一定照度以下であるか否かを判断する（ステップＳ６２）。ここで、一定照度は予めユーザによって設定しておくものとする。すなわち、この一定照度は、ユーザが携帯端末装置を使用する場合に、周囲が暗くなっており、操作キーが見づらい状態になっているであろうと思われる照度に設定する。
【００８６】
そして、ステップＳ６２での判断の結果、表示筐体２を開いたときの周囲の明るさが一定照度以下であった場合（Ｙｅｓと判断された場合）には、図９のステップＳ２２へと動作を進め、パネルバックライト６５を点灯させる。そして、その後の処理（ステップＳ２３〜ステップＳ２６）に進むことになる。
【００８７】
一方、ステップＳ６２での判断の結果、表示筐体２を開いたときの周囲の明るさが一定照度以上であった場合（Ｎｏと判断された場合）には、パネルバックライト６５を点灯することなく処理を終了する（ステップＳ６３）。
【００８８】
本実施例７によれば、明るい場所に居るときに表示筐体２を開いた場合にはパネルバックライト６５が点灯されることはない。これにより、省電力を図ることができる。
【００８９】
なお、上記実施形態では、検知手段として磁気センサを用いているが、メカ的な検知手段であってもよい。例えば、一方の筐体の主面（対向面）に伸縮可能な突起部を形成し、筐体同士を閉じた状態では他方の筐体の主面によって突起部が押し込まれた状態となり、筐体を開いたとき、突起部が主面から突出することで筐体の開状態を検知するようなメカスイッチであってもよい。
【００９０】
また、上記実施形態では、携帯端末装置として折り畳み式（クラムシェルタイプ）の携帯端末装置を例に挙げているが、筐体が電源キーを覆っている第１の状態から電源キーを操作できる第２の状態に遷移できる構造であればどのような構造であってもよい。例えば、キーを配置した操作筐体に対して液晶表示パネルを配置した表示筐体を水平方向に回動（旋回）させるジャックナイフ型の携帯端末装置や、操作筐体に対して表示筐体を水平一方向に直線的に往復移動させるスライド型の携帯端末装置にも本発明を適用することが可能である。
【００９１】
さらに、上記実施形態では、磁気センサによって表示筐体が開かれたことを検知したとき、常に電源キー、キーバックライト、またはパネルバックライトを点灯等する構成としているが、このような動作を行うか否かをユーザによって選択できるように構成してもよい。すなわち、操作筐体１の主面に選択キー（図示省略）を設け、この選択キーを操作することで、上記実施例１〜７のような動作を有効とするか禁止するかの選択が行えるようにしてもよい。このような選択キーを設けておけば、個々のユーザの使用状況に合わせて上記動作の有効、禁止を自由に選択することができる。
【００９２】
また、本発明によれば、筐体を開いたとき、装置本体の電源はオフ状態のままで、電源キーのみを点灯または点滅したり、キーバックライトを点灯したり、表示部のバックライトを点灯する構成としたので、例えば病院内や電車内など、電源をオフしなければならない場所で何気なく携帯端末装置を開いた場合でも、自動的に電源がオンされてしまうことがない。つまり、携帯端末装置を開いただけでは、自動的にメールや着呼を受信してしまうことがないので、このような特定の場所において周囲に迷惑をかけてしまうこともない。
【産業上の利用可能性】
【００９３】
本発明は、筐体が電源キーを覆っている第１の状態から電源キーを操作できる第２の状態に遷移できる構造の携帯端末装置、例えば折り畳み式（クラムシェル型）の携帯端末装置、ジャックナイフ型の携帯端末装置、スライド型の携帯端末装置などに好適に利用される。
【図面の簡単な説明】
【００９４】
【図１】本発明の一実施形態に係る携帯端末装置の「通常オープン状態」における外観図であり、（ａ）は、通常オープン状態における携帯端末装置をユーザ側から見た正面図、（ｂ）は、その左側面図である。
【図２】本実施形態の携帯端末装置の「通常クローズ状態」における左側面図である。
【図３】本実施形態の携帯端末装置の回転軸部の構造を示す概略図である。
【図４】本実施形態の携帯端末装置の電気的構成の一例を示す機能ブロック図である。
【図５】実施例１の制御動作を実現するための一構成例を示す機能ブロック図である。
【図６】実施例１の制御動作を示すフローチャートである。
【図７】実施例２の制御動作を示すフローチャートである。
【図８】実施例３の制御動作を実現するための一構成例を示す機能ブロック図である。
【図９】実施例３の制御動作を示すフローチャートである。
【図１０】実施例４の制御動作を実現するための一構成例を示す機能ブロック図である。
【図１１】実施例４の制御動作を示すフローチャートである。
【図１２】実施例５の制御動作を実現するための一構成例を示す機能ブロック図である。
【図１３】実施例５の制御動作を示すフローチャートである。
【図１４】実施例６の制御動作を実現するための一構成例を示す機能ブロック図である。
【図１５】実施例６の制御動作を示すフローチャートである。
【図１６】実施例７の制御動作を実現するための一構成例を示す機能ブロック図である。
【図１７】実施例７の制御動作を示すフローチャートである。
【符号の説明】
【００９５】
１  操作筐体
２  表示筐体
１６  オンフックキー（電源キー）
４０  マグネット
４１  磁気センサ
６０  主制御部
６１  装置状態検出部
６２  入力制御部
６４  表示部
６６  タイマー部
６７  時計部
６８  照度センサ
【図１】
0004430026.tif 000002
【図２】
0004430026.tif 000003
【図３】
0004430026.tif 000004
【図４】
0004430026.tif 000005
【図５】
0004430026.tif 000006
【図６】
0004430026.tif 000007
【図７】
0004430026.tif 000008
【図８】
0004430026.tif 000009
【図９】
0004430026.tif 000010
【図１０】
0004430026.tif 000011
【図１１】
0004430026.tif 000012
【図１２】
0004430026.tif 000013
【図１３】
0004430026.tif 000014
【図１４】
0004430026.tif 000015
【図１５】
0004430026.tif 000016
【図１６】
0004430026.tif 000017
【図１７】
0004430026.tif 000018